(57)【要約】【課題】少ない製造工程で作成可能なフレキシブルプリント基板及び該フレキシブルプリント基板を搭載した折り畳み式携帯電話装置を提供する。【解決手段】フレキシブルプリント基板１０は、表基板面１１と裏基板面１２とからなり、前記表基板面１１と裏基板面１２は線Ａ−Ａ’を基準として対称的に形成されている。又、第１のコネクタ１３と第２のコネクタ１４は電気的に接続されると共に夫々同一平面状に形成されており、フレキシブルプリント基板１０を線Ａ−Ａ’を基準に折り曲げた際に前記第１のコネクタ１３と第２のコネクタ１４は異なる平面上に配置された状態となる。【選択図】      図１
2004247653.tif 000002
【特許請求の範囲】
【請求項１】
回路間を電気的に接続する第１、第２のコネクタを有するフレキシブルプリント基板において、
折り畳み可能な折り目を有し、該折り目に対して互いに異なる側に前記第１、第２のコネクタを配設したことを特徴とするフレキシブルプリント基板。
【請求項２】
回路間を電気的に接続する第１、第２のコネクタを有するフレキシブルプリント基板において、
前記フレキシブルプリント基板は、第１のコネクタが配置された第１のプリント基板と、第２のコネクタが配置された第２のプリント基板とからなり、
前記第１のプリント基板と前記第２のプリント基板は外形が或る１つの直線を基準として線対称となり、かつ、前記第１のプリント基板と前記第２のプリント基板とを前記１つの直線を折り目として折り返した際に、前記第１のコネクタと前記第２のコネクタが互いに異なる面に位置することを特徴とするフレキシブルプリント基板。
【請求項３】
回路間を電気的に接続する第１、第２のコネクタを有するフレキシブルプリント基板において、
前記フレキシブルプリント基板は、第１のコネクタが配置された第１のプリント基板と、第２のコネクタが配置された第２のプリント基板とからなり、
前記第１のプリント基板と前記第２のプリント基板は一部の外形が或る１つの直線を基準として線対称となり、かつ、前記第１のプリント基板と前記第２のプリント基板とを前記１つの直線を折り目として折り返した際に、前記第１のコネクタと前記第２のコネクタが互いに異なる面に位置することを特徴とするフレキシブルプリント基板。
【請求項４】
請求項２〜３記載のフレキシブルプリント基板であり、
前記第１のプリント基板及び前記第２のプリント基板には、夫々配線が施されており、前記折り目部分に形成された配線を介して前記第１のプリント基板の配線と前記第２のプリント基板に形成された配線が電気的に接続されていることを特徴とするフレキシブルプリント基板。
【請求項５】
回路間を電気的に接続する第１、第２のコネクタを有するフレキシブルプリント基板を有する折り畳み式携帯電話装置であり、
前記フレキシブルプリント基板は、折り畳み可能な折り目を有し、該折り目に対して互いに異なる側に前記第１、第２のコネクタを配設したことを特徴とする折り畳み式携帯電話装置。
【請求項６】
回路間を電気的に接続する第１、第２のコネクタを有するフレキシブルプリント基板を有する折り畳み式携帯電話装置であり、
前記フレキシブルプリント基板は、第１のコネクタが配置された第１のプリント基板と、第２のコネクタが配置された第２のプリント基板とからなり、
前記第１のプリント基板と前記第２のプリント基板は外形が或る１つの直線を基準として線対称となり、かつ、前記第１のプリント基板と前記第２のプリント基板とを前記１つの直線を折り目として折り返した際に、前記第１のコネクタと前記第２のコネクタが互いに異なる面に位置することを特徴とするフレキシブルプリント基板を有する折り畳み式携帯電話装置。
【請求項７】
２つの筐体を折り畳み可能に軸支するヒンジ部と、回路間を電気的に接続する第１、第２のコネクタを有するフレキシブルプリント基板を有する折り畳み式携帯電話装置であり、
前記フレキシブルプリント基板は、第１のコネクタが配置された第１のプリント基板と、第２のコネクタが配置された第２のプリント基板とからなり、
前記第１のプリント基板と前記第２のプリント基板は一部の外形が或る１つの直線を基準として線対称となり、かつ、前記第１のプリント基板と前記第２のプリント基板とを前記１つの直線を折り目として折り返した際に、前記第１のコネクタと前記第２のコネクタが互いに異なる面に位置することを特徴とするフレキシブルプリント基板を、ヒンジ部に前記対称的に接続形成された部分を１回転させた状態で配置させたことを特徴とする折り畳み式携帯電話装置。
【発明の詳細な説明】
【０００１】
【発明の属する技術分野】
本発明は、折り畳み式携帯電話等に使用されるフレキシブルプリント基板及びフレキシブルプリント基板を有する折り畳み式携帯電話装置に関するものである。
【０００２】
【従来の技術】
近年、多くの人に使用されている携帯電話装置において、様々な形状のものが製品化されている。例えば、表示部とテンキー等からなる入力部とが同一平面上に形成された所謂ストレートタイプの携帯電話装置だけでなく、表示部が配置された第１の筐体と入力部が配置された第２の筐体とをヒンジ部を介して接続した、所謂折り畳み式の携帯電話装置が製品化されている。
【０００３】
図４は、前記折り畳み式の携帯電話装置の斜視図である。
【０００４】
図４において、第１の筐体２１と第２の筐体２２がヒンジ部２３を介して接続されており、前記第１の筐体２１には、液晶表示装置からなる表示部２４とアンテナ２５とが配置されている。一方、前記第２の筐体２２には、テンキー、通話キー、切キー、等からなる入力部２６が配置されている。図４は、携帯電話装置を開いた状態を示しており、携帯電話装置を使用しない時には、前記第１の筐体２１を図１中矢印Ａ方向に回転させるか、或いは、前記第２の筐体２２を図１中矢印Ｂ方向に回転させることにより筐体を閉じることが可能である。
【０００５】
このような折り畳み式携帯電話装置は、入力部２６を配置した第２の筐体２２と、表示部２４を配置した第１の筐体２１とが振り分けられた構成である為、前記第１の筐体２１と前記第２の筐体２２とを電気的に接続する必要がある。
【０００６】
このような電気的接続を行う為には、一般的にフレキシブルプリント基板が使用される。
【０００７】
図５は、このような折り畳み式携帯電話装置に使用される前記フレキシブルプリント基板の上面図であり、図６は、前記フレキシブルプリント基板の裏面図、即ち、図５に示すフレキシブルプリント基板２６を矢印Ｃの方向へ回転させた裏面の状態を示している。
【０００８】
図５及び図６において、フレキシブルプリント基板２６の両端には、コネクタ２７と２８が夫々異なる面上に形成されており、前記コネクタ２７と２８は、複数の配線部１００（後述する配線１０１、１０３、スルーホール１０２、電極１０４等の総称とする）を介して電気的に接続されている。
【０００９】
図７は、図５に示すフレキシブルプリント基板２６のＣ−Ｃ’線断面図である。
【００１０】
図７において、例えばポリイミドからなる第１の層３０の上には、複数の配線１０１が形成された第２の層３１があり、前記配線１０１の上には、部分的にスルーホール１０２が形成された例えばポリイミドからなる第３の層３２が形成されている。又、前記第３の層３２の上には、複数の配線１０３が形成された第４の層３３があり、前記第４の層３３の上には、複数の電極１０４が形成された例えばポリイミドからなる第５の層３４が形成されている。前記第５の層３４の上にはコネクタ２７が形成されており、前記第２の層３１と第４の層３３とはスルーホール１０２により電気的に接続されている。更に、前記コネクタ２７の各ピンは、前記第５の層３４に形成されている電極１０４を介して前記第４の層３３の配線１０３と電気的に接続されている。
【００１１】
図８は、図５及び図６に示すフレキシブルプリント基板２６を携帯電話装置内部に配置した際の部分透過斜視図を示している。
【００１２】
図８において、フレキシブルプリント基板２６の一方のコネクタ２７（図示せず）は、第１筐体２１の基板３０上に配置されたコネクタ３１に接続され、他方のコネクタ２８（図示せず）は、第２筐体２２の基板３２裏面上に配置されたコネクタ（図示せず）に接続されている。又、前記フレキシブルプリント基板２６はヒンジ部２３内で１巻き巻回され、フレキシブルプリント基板２６と２つの基板３０、３２とが電気的に接続されるように、前記一方のコネクタ２７と他方のコネクタ２８は夫々異なる面上に配置されている。
【００１３】
このようなフレキシブルプリント基板に関する技術は数多く提案されており、例えば、配線が施された第１の経路部と第２の経路部と、前記第１及び第２の経路部の両端に電気的に接続された第１、第２の接続部とを有するフレキシブルプリント基板において、前記第１の経路部の１部の外形と第２の経路部の一部の外形を線対称にした技術が提案されている（例えば、特許文献１）。
【００１４】
【特許文献１】
特開平２００２−１６３２３号公報（第２−３頁、第１図）
【００１５】
【発明が解決しようとする課題】
しかし、図４及び図８の如き折り畳み式携帯電話装置では、フレキシブルプリント基板を１回転させる為に一方のコネクタの向きが逆になる。従って、両方の基板の部品面を同じにする為には、一方のコネクタ２７と他方のコネクタ２８を夫々異なる面上に形成しなければならない。この為、一方のコネクタをＳＭＴ（Ｓｕｒｆａｃｅ  Ｍｏｕｎｔ  Ｔｅｃｈｎｏｌｏｇｙ）といった表面実装技術を用いて配置した後に、フレキシブルプリント基板２６を反対側に裏返し、前記一方のコネクタ２７を配置した面の裏面に前記他方のコネクタ２８を配置しなければならない。又、前記特許文献１に記載のフレキシブルプリント基板についても、前記第１の経路部と前記第２の経路部の一部の外形が線対称になっているだけであり、前記第１の経路部と前記第２の経路部が重なるように折りたたんでも、一方のコネクタをＳＭＴにより配置した後に、フレキシブルプリント基板２６を反対側に裏返し、前記一方のコネクタ２７を配置した面の裏面に前記他方のコネクタ２８を配置する必要がある。
【００１６】
又、前記フレキシブルプリント基板２６は多層形成されている為、コネクタ近傍にスルーホールを形成し、複数の層を電気的に接続する必要がある。この為、製造工程が複雑になると共にコスト高となってしまう。
【００１７】
【課題を解決するための手段】
請求項１記載のフレキシブルプリント基板は、回路間を電気的に接続する第１、第２のコネクタを有するフレキシブルプリント基板において、折り畳み可能な折り目を有し、該折り目に対して互いに異なる側に前記第１、第２のコネクタを配設したことを特徴とする。
【００１８】
請求項２記載のフレキシブルプリント基板は、回路間を電気的に接続する第１、第２のコネクタを有するフレキシブルプリント基板において、前記フレキシブルプリント基板は、第１のコネクタが配置された第１のプリント基板と、第２のコネクタが配置された第２のプリント基板とからなり、前記第１のプリント基板と前記第２のプリント基板は外形が或る１つの直線を基準として線対称となり、かつ、前記第１のプリント基板と前記第２のプリント基板とを前記１つの直線を折り目として折り返した際に、前記第１のコネクタと前記第２のコネクタが互いに異なる面に位置することを特徴とする。
【００１９】
請求項３記載のフレキシブルプリント基板は、回路間を電気的に接続する第１、第２のコネクタを有するフレキシブルプリント基板において、前記フレキシブルプリント基板は、第１のコネクタが配置された第１のプリント基板と、第２のコネクタが配置された第２のプリント基板とからなり、前記第１のプリント基板と前記第２のプリント基板は一部の外形が或る１つの直線を基準として線対称となり、かつ、前記第１のプリント基板と前記第２のプリント基板とを前記１つの直線を折り目として折り返した際に、前記第１のコネクタと前記第２のコネクタが互いに異なる面に位置することを特徴とする。
【００２０】
請求項４記載のフレキシブルプリント基板は、請求項２〜３記載のフレキシブルプリント基板であり、前記第１のプリント基板及び前記第２のプリント基板には、夫々配線が施されており、前記折り目部分に形成された配線を介して前記第１のプリント基板の配線と前記第２のプリント基板に形成された配線が電気的に接続されていることを特徴とする。
【００２１】
請求項５記載のフレキシブルプリント基板を有する折り畳み式携帯電話装置は、回路間を電気的に接続する第１、第２のコネクタを有するフレキシブルプリント基板を有する折り畳み式携帯電話装置であり、前記フレキシブルプリント基板は、折り畳み可能な折り目を有し、該折り目に対して互いに異なる側に前記第１、第２のコネクタを配設したことを特徴とする。
【００２２】
請求項６記載のフレキシブルプリント基板を有する折り畳み式携帯電話装置は、回路間を電気的に接続する第１、第２のコネクタを有するフレキシブルプリント基板を有する折り畳み式携帯電話装置であり、前記フレキシブルプリント基板は、第１のコネクタが配置された第１のプリント基板と、第２のコネクタが配置された第２のプリント基板とからなり、前記第１のプリント基板と前記第２のプリント基板は外形が或る１つの直線を基準として線対称となり、かつ、前記第１のプリント基板と前記第２のプリント基板とを前記１つの直線を折り目として折り返した際に、前記第１のコネクタと前記第２のコネクタが互いに異なる面に位置することを特徴とする。
【００２３】
請求項７記載のフレキシブルプリント基板を有する折り畳み式携帯電話装置は、２つの筐体を折り畳み可能に軸支するヒンジ部と、回路間を電気的に接続する第１、第２のコネクタを有するフレキシブルプリント基板を有する折り畳み式携帯電話装置であり、前記フレキシブルプリント基板は、第１のコネクタが配置された第１のプリント基板と、第２のコネクタが配置された第２のプリント基板とからなり、前記第１のプリント基板と前記第２のプリント基板は一部の外形が或る１つの直線を基準として線対称となり、かつ、前記第１のプリント基板と前記第２のプリント基板とを前記１つの直線を折り目として折り返した際に、前記第１のコネクタと前記第２のコネクタが互いに異なる面に位置することを特徴とするフレキシブルプリント基板を、ヒンジ部に前記対称的に接続形成された部分を１回転させた状態で配置させたことを特徴とする。
【００２４】
【発明の実施の形態】
以下、本発明を適用してなる実施例装置について説明する。
【００２５】
本発明を適用してなる実施例装置は、１回の実装だけでフレキシブルプリント基板の両面にコネクタを形成可能であると共にスルーホールを形成しなくとも２つのコネクタ間を電気的に接続可能なフレキシブルプリント基板及び前記フレキシブルプリント基板を有する折り畳み式携帯電話装置である。
【００２６】
図１は、本発明を適用してなる実施例装置であるフレキシブルプリント基板の上面図である。
【００２７】
図１において、フレキシブルプリント基板１０は、表基板面１１と裏基板面１２からなる。前記表基板面１１と裏基板面１２は、Ａ−Ａ’線を境に対象的な形状となっている。このような形状とした理由は、本実施例では、Ａ−Ａ’線を境にフレキシブルプリント基板１０を折り曲げることにより、フレキシブルプリント基板１０の完成品が出来上がる構成となっているからである。
【００２８】
図１のフレキシブルプリント基板１０は、表基板面１１に第１のコネクタ１３を配置しており、一方、裏基板面１２に第２のコネクタ１４を配置している。又、前記第１のコネクタ１３と第２のコネクタ１４は、フレキシブルプリント基板１０に形成されている配線１５により電気的に接続されている。
【００２９】
図１のフレキシブルプリント基板１０をＡ−Ａ’線を境に折り曲げ、表基板面１１と裏基板面１２とを完全に重なり合わせると、図２の上面図に示すようになる。図２に示すフレキシブルプリント基板１０の上面には、第１のコネクタ１３が形成されており、前記第１のコネクタ１３が形成された部分の他端側の前記フレキシブルプリント基板１０の裏面には、前記第２のコネクタ１４（破線で表示）が形成されている。
【００３０】
図１において、フレキシブルプリント基板１０の同一平面状に２つのコネクタ１３、１４が形成されている為、コネクタ１３、１４をＳＭＴにより装着する際には、１回の装着工程によりコネクタを装着可能である。
【００３１】
図３は、図１に示すフレキシブルプリント基板１０のＢ−Ｂ’線断面図である。
【００３２】
図３において、例えばポリイミドからなる第１の層１６上には、複数の配線１５が形成されている第２の層１７があり、該第２の層１７の上には、例えばポリイミドからなる第３の層１８が形成されている。又、前記第３の層１８上には、コネクタ１３が配置されている。前記コネクタ１３の各ピンは、前記第３の層１８を介して前記第２の層１７に形成されている複数の配線１５と接続されている。
【００３３】
このようなフレキシブルプリント基板１０において、図１に示すように表基板面１１の配線と裏基板面１２の配線とは、図１のＡ−Ａ’線の境界上で同一の層（図２に示す第２の層１７）で電気的に接続されている。
【００３４】
このようなフレキシブルプリント基板１０を、折り畳み式携帯電話装置に搭載した場合、従来のフレキシブルプリント基板１０と同様に、例えば図８に示すように、第１の筐体２１に搭載されている基板と、第２の筐体２２に搭載されている基板３２との間に、ヒンジ部２３において１回転させた状態で介在させることにより、前記第１の筐体２１と前記第２の筐体２２とを電気的に接続することが可能である。
【００３５】
このようなフレキシブルプリント基板１０を搭載した折り畳み式携帯電話装置は、フレキシブルプリント基板１０のコストが低くなった分、低価格で提供されることになる。
【００３６】
以上説明したように、本実施例装置であるフレキシブルプリント基板１０は、同一平面状に２つのコネクタを形成することにより製造可能である。又、配線が形成されている層が一つだけで良く、複数の配線層を形成すると共に複数の配線層をスルーホールで電気的に接続する必要がない。この為、コネクタをＳＭＴにより装着する際には１回の装着工程だけで済むだけでなく、１つの配線層を形成すれば良い為、少ない製造工程で製造することが可能であると共にコストを低減することが可能である。
【００３７】
又、本実施例装置である折り畳み式携帯電話装置を安く提供することができる。
【００３８】
【発明の効果】
本発明のフレキシブルプリント基板は、少ない工程で製造可能であり、又、本発明である折り畳み式携帯電話装置は低コストで製造することが可能である。
【図面の簡単な説明】
【図１】本発明を適用したフレキシブルプリント基板の上面図である。
【図２】本実施例装置であるフレキシブルプリント基板の上面図である。
【図３】本実施例装置であるフレキシブルプリント基板の部分断面図である。
【図４】本実施例装置であるフレキシブルプリント基板を搭載した携帯電話装置の斜視図である。
【図５】従来のフレキシブルプリント基板の上面図である。
【図６】従来のフレキシブルプリント基板の上面図である。
【図７】従来のフレキシブルプリント基板の部分断面図である。
【図８】従来のフレキシブルプリント基板を搭載した携帯電話装置の斜視図である。
【符号の説明】
１０  フレキシブルプリント基板
１１  上面基板
１２  裏面基板
１３  第１のコネクタ
１４  第２のコネクタ
１５  配線
【図１】
2004247653.tif 000003
【図２】
2004247653.tif 000004
【図３】
2004247653.tif 000005
【図４】
2004247653.tif 000006
【図５】
2004247653.tif 000007
【図６】
2004247653.tif 000008
【図７】
2004247653.tif 000009
【図８】
2004247653.tif 000010